(57)【要約】本出願は、同期ブロードキャスト伝送の伝送方法及び装置を開示する。該方法は、送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きいことと、前記少なくとも一つの同期ブロードキャストブロックを含む同期ブロードキャスト伝送を生成することと、前記少なくとも一つの候補伝送位置で、ビーム走査して生成された前記同期ブロードキャスト伝送を送信することとを含む。【選択図】図１
2021517429.tif 000002
【特許請求の範囲】
【請求項１】
同期ブロードキャスト伝送の伝送方法であって、
送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きいことと、
前記少なくとも一つの同期ブロードキャストブロックを含む同期ブロードキャスト伝送を生成することと、
前記少なくとも一つの候補伝送位置で、ビーム走査して生成された前記同期ブロードキャスト伝送を送信することと、を含む、同期ブロードキャスト伝送の伝送方法。
【請求項２】
前記少なくとも一つの候補伝送位置の数は、前記一つの時間間隔内の同期ブロードキャストブロックの数のｎ倍であり、ここで、ｎ＝２であり、又はｎが、前記一つの時間間隔の時間長の半フレーム分の時間長に対する倍数であることを特徴とする
請求項１に記載の方法。
【請求項３】
前記同期ブロードキャスト伝送は、さらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれ、
ここで、前記少なくとも一つの同期ブロードキャストブロック識別子の最大値が前記一つの時間間隔内の同期ブロードキャストブロックの数に対応し、
又は、前記少なくとも一つの同期ブロードキャストブロック識別子の最大値が前記少なくとも一つの候補伝送位置の数に対応することを特徴とする
請求項１に記載の方法。
【請求項４】
前記少なくとも一つの同期ブロードキャストブロック識別子は、前記同期ブロードキャストブロック内のＰＢＣＨチャネルのＤＭＲＳシーケンスとＰＢＣＨ内のデータビットを介して送信されることを特徴とする
請求項３に記載の方法。
【請求項５】
前記少なくとも一つの候補伝送位置で、ビーム走査して生成された前記同期ブロードキャスト伝送を送信することは、
選定された候補送信タイムスロットにおける前記少なくとも一つの候補伝送位置で、ビーム走査して生成された前記同期ブロードキャスト伝送を送信することを含み、
ここで、前記候補送信タイムスロットの候補セットが｛１０、２０、４０、８０、１６０｝ｍｓであり、
又は、前記一つの時間間隔内の同期ブロードキャストブロックの数が４である場合、前記候補送信タイムスロットの候補セットが｛５、１０、２０、４０、８０、１６０｝ｍｓであり、前記一つの時間間隔内の同期ブロードキャストブロックの数が４より大きい場合、前記候補送信タイムスロットの候補セットが｛１０、２０、４０、８０、１６０｝ｍｓであることを特徴とする
請求項１に記載の方法。
【請求項６】
少なくとも２つの送信待ちの同期ブロードキャストブロックが１グループに属し、
前記方法はさらに、
前記少なくとも一つの候補伝送位置が空いているか否かを検出することと、
前記少なくとも一つの候補伝送位置が空いていない場合、前記送信待ちの同期ブロードキャストブロックの所在するグループ内の全ての同期ブロードキャストブロックを確定することと、
前記所在するグループ内の全ての同期ブロードキャストブロックに対応する少なくとも一つの候補伝送位置でビーム走査して生成された前記同期ブロードキャスト伝送を送信することを放棄することと、を含むことを特徴とする
請求項１に記載の方法。
【請求項７】
同期ブロードキャスト伝送の伝送方法であって、
基地局から送信された同期ブロードキャスト伝送を受信することと、
前記同期ブロードキャスト伝送に基づいて同期ブロードキャストブロックを解析し、同期ブロードキャストブロック識別子を取得することと、
予め設定された同期ブロードキャストブロック識別子とサブフレーム番号との対応関係に基づいて、取得された前記同期ブロードキャストブロック識別子に対応するサブフレーム番号を確定することと、を含む、同期ブロードキャスト伝送の伝送方法。
【請求項８】
前記少なくとも一つの同期ブロードキャストブロック識別子の最大値が少なくとも一つの候補伝送位置の数に対応し、
前記方法はさらに、
前記少なくとも一つの候補伝送位置の数と一つの時間間隔内の同期ブロードキャストブロックの数との対応関係に基づいて、取得された前記同期ブロードキャストブロック識別子に対して換算を行うことを含み、
取得された前記同期ブロードキャストブロック識別子に対応するサブフレーム番号を確定することは、
換算後の同期ブロードキャストブロック識別子に対応するサブフレーム番号を確定することを含むことを特徴とする
請求項７に記載の方法。
【請求項９】
前記同期ブロードキャスト伝送に基づいて同期ブロードキャストブロックを解析し、同期ブロードキャストブロック識別子を取得することは、
同期ブロードキャスト伝送に基づいて、同期ブロードキャストブロック内のＰＢＣＨチャネルのＤＭＲＳシーケンスとＰＢＣＨ内のデータビットを解析することと、
前記同期ブロードキャストブロック内のＰＢＣＨチャネルのＤＭＲＳシーケンスとＰＢＣＨ内のデータビットを介して、同期ブロードキャストブロック識別子を取得することとを含むことを特徴とする
請求項７に記載の方法。
【請求項１０】
同期ブロードキャスト伝送の伝送装置であって、
送信待ちの少なくとも一つの同期ブロードキャストブロックに対応する少なくとも一つの候補伝送位置を確定するように構成され、前記少なくとも一つの候補伝送位置の数が、一つの時間間隔内の同期ブロードキャストブロックの数よりも大きい位置モジュールと、
前記少なくとも一つの同期ブロードキャストブロックを含む同期ブロードキャスト伝送を生成するように構成される生成モジュールと、
前記少なくとも一つの候補伝送位置で、ビーム走査して生成された前記同期ブロードキャスト伝送を送信するように構成されるブロードキャストモジュールと、を備える、同期ブロードキャスト伝送の伝送装置。
【請求項１１】
前記少なくとも一つの候補伝送位置の数は、前記一つの時間間隔内の同期ブロードキャストブロックの数のｎ倍であり、ここで、ｎ＝２であり、又はｎが、前記一つの時間間隔の時間長の半フレーム分の時間長に対する倍数であることを特徴とする
請求項１０に記載の装置。
【請求項１２】
前記同期ブロードキャスト伝送は、さらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれ、
ここで、前記少なくとも一つの同期ブロードキャストブロック識別子の最大値が前記一つの時間間隔内の同期ブロードキャストブロックの数に対応し、
又は、前記少なくとも一つの同期ブロードキャストブロック識別子の最大値が前記少なくとも一つの候補伝送位置の数に対応することを特徴とする
請求項１０に記載の装置。
【請求項１３】
前記少なくとも一つの同期ブロードキャストブロック識別子は、前記同期ブロードキャストブロック内のＰＢＣＨチャネルのＤＭＲＳシーケンスとＰＢＣＨ内のデータビットを介して送信されることを特徴とする
請求項１２に記載の装置。
【請求項１４】
前記ブロードキャストモジュールは、
選定された候補送信タイムスロットにおける前記少なくとも一つの候補伝送位置で、ビーム走査して生成された前記同期ブロードキャスト伝送を送信するように構成されるブロードキャストサブモジュールと、を含み、
ここで、前記候補送信タイムスロットの候補セットが｛１０、２０、４０、８０、１６０｝ｍｓであり、
又は、前記一つの時間間隔内の同期ブロードキャストブロックの数が４である場合、前記候補送信タイムスロットの候補セットが｛５、１０、２０、４０、８０、１６０｝ｍｓであり、前記一つの時間間隔内の同期ブロードキャストブロックの数が４より大きい場合、前記候補送信タイムスロットの候補セットが｛１０、２０、４０、８０、１６０｝ｍｓであることを特徴とする
請求項１０に記載の装置。
【請求項１５】
少なくとも２つの送信待ちの同期ブロードキャストブロックが１グループに属し、
前記装置はさらに、
前記少なくとも一つの候補伝送位置が空いているか否かを検出するように構成される検出モジュールと、
前記少なくとも一つの候補伝送位置が空いていない場合、前記送信待ちの同期ブロードキャストブロックの所在するグループ内の全ての同期ブロードキャストブロックを確定するように構成されるグループモジュールと、
前記所在するグループ内の全ての同期ブロードキャストブロックに対応する少なくとも一つの候補伝送位置でビーム走査して生成された前記同期ブロードキャスト伝送を送信することを放棄するように構成される放棄モジュールと、を備えることを特徴とする
請求項１０に記載の装置。
【請求項１６】
同期ブロードキャスト伝送の伝送装置であって、
基地局から送信された同期ブロードキャスト伝送を受信するように構成される受信モジュールと、
前記同期ブロードキャスト伝送に基づいて同期ブロードキャストブロックを解析し、同期ブロードキャストブロック識別子を取得するように構成される解析モジュールと、
予め設定された同期ブロードキャストブロック識別子とサブフレーム番号との対応関係に基づいて、取得された前記同期ブロードキャストブロック識別子に対応するサブフレーム番号を確定するように構成される確定モジュールとを備える、前記同期ブロードキャスト伝送の伝送装置。
【請求項１７】
前記少なくとも一つの同期ブロードキャストブロック識別子の最大値が前記少なくとも一つの候補伝送位置の数に対応し、
前記装置はさらに、
前記少なくとも一つの候補伝送位置の数と一つの時間間隔内の同期ブロードキャストブロックの数との対応関係に基づいて、取得された前記同期ブロードキャストブロック識別子に対して換算を行うように構成される換算モジュールを備え、
前記確定モジュールは、
換算後の同期ブロードキャストブロック識別子に対応するサブフレーム番号を確定するように構成される確定サブモジュールを含むことを特徴とする
請求項１６に記載の装置。
【請求項１８】
前記解析モジュールは、
前記同期ブロードキャスト伝送に基づいて、同期ブロードキャストブロック内のＰＢＣＨチャネルのＤＭＲＳシーケンスとＰＢＣＨ内のデータビットを解析するように構成される解析サブモジュールと、
前記同期ブロードキャストブロック内のＰＢＣＨチャネルのＤＭＲＳシーケンスとＰＢＣＨ内のデータビットを介して、同期ブロードキャストブロック識別子を取得するように構成される取得サブモジュールとを含むことを特徴とする
請求項１６に記載の装置。
【請求項１９】
同期ブロードキャスト伝送の伝送装置であって、
プロセッサと、
プロセッサで実行可能な命令を記憶するように構成されるメモリと、を備え、
ここで、前記プロセッサは、
送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きく、
前記少なくとも一つの同期ブロードキャストブロックを含む同期ブロードキャスト伝送を生成し、
前記少なくとも一つの候補伝送位置で、ビーム走査して生成された前記同期ブロードキャスト伝送を送信するように構成される、同期ブロードキャスト伝送の伝送装置。
【請求項２０】
同期ブロードキャスト伝送の伝送装置であって、
プロセッサと、
プロセッサで実行可能な命令を記憶するように構成されるメモリと、を備え、
ここで、前記プロセッサは、
基地局から送信された同期ブロードキャスト伝送を受信し、
前記同期ブロードキャスト伝送に基づいて同期ブロードキャストブロックを解析し、同期ブロードキャストブロック識別子を取得し、
予め設定された同期ブロードキャストブロック識別子とサブフレーム番号との対応関係に基づいて、取得された前記同期ブロードキャストブロック識別子に対応するサブフレーム番号を確定するように構成される、同期ブロードキャスト伝送の伝送装置。
【請求項２１】
コンピュータ命令を記憶しているコンピュータ可読記憶媒体であって、該命令がプロセッサによって実行される時に上記の請求項１−６に記載の方法を実現する、コンピュータ可読記憶媒体。
【請求項２２】
コンピュータ命令を記憶しているコンピュータ可読記憶媒体であって、該命令がプロセッサによって実行される時に上記の請求項７−９に記載の方法を実現する、コンピュータ可読記憶媒体。
【発明の詳細な説明】
【技術分野】
【０００１】
本開示は、通信技術分野に関し、特に同期ブロードキャスト伝送の伝送方法及び装置に関する。
【背景技術】
【０００２】
関連技術では、業界で最近、５Ｇのアンライセンススペクトルに対して研究が行われており、５Ｇのアンライセンスセルで独立してネットワーキングすることが提案されている。５Ｇのアンライセンススペクトルで独立してネットワーキングする設計において、同期ブロードキャストブロック（ＳＳ／ＰＢＣＨ  ＢＬＯＣＫ、以下にＳＳＢと略記）に関する設計をまず考慮する必要がある。しかし、現在、業界では効果的な解決策がない。
【発明の概要】
【課題を解決するための手段】
【０００３】
本開示の実施例は、同期ブロードキャスト伝送の伝送方法及び装置を提供する。前記技術的解決策は次の通りである。
【０００４】
本開示の実施例の第一の態様による同期ブロードキャスト伝送の伝送方法は、
送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きいことと、
前記少なくとも一つの同期ブロードキャストブロックを含む同期ブロードキャスト伝送を生成することと、
前記少なくとも一つの候補伝送位置で、ビーム走査して生成された前記同期ブロードキャスト伝送を送信することと、を含む。
【０００５】
本開示の実施例によって提供される技術的解決策は、本実施例で前記少なくとも一つの候補伝送位置の数が、一つの時間間隔内の同期ブロードキャストブロックの数よりも大きいという有益な効果を奏することができる。システムではより多くの候補伝送位置が準備されており、ある候補伝送位置で送信する時にチャネルが占有された場合でも、より多くの他の候補伝送位置が選択可能であるため、基地局が同期ブロードキャスト伝送を送信する可能性が向上し、ユーザ機器が同期処理を適時に行うことが容易になる。
【０００６】
一つの実施例では、前記少なくとも一つの候補伝送位置の数は、一つの時間間隔内の同期ブロードキャストブロックの数のｎ倍であり、ここで、ｎ＝２であり、又はｎが、一つの時間間隔の時間長の半フレーム分の時間長に対する倍数である。
【０００７】
本開示の実施例によって提供される技術的解決策は、本実施例で前記少なくとも一つの候補伝送位置の数が一つの時間間隔内の同期ブロードキャストブロックの数の少なくとも２倍であり、これにより、数多くの候補伝送位置が提供され、基地局が同期ブロードキャスト伝送を送信する可能性が向上し、ユーザ機器が同期処理を適時に行うことが容易になるという有益な効果を奏することができる。
【０００８】
一つの実施例では、前記同期ブロードキャスト伝送は、さらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれ、
ここで、前記少なくとも一つの同期ブロードキャストブロック識別子の最大値が一つの時間間隔内の同期ブロードキャストブロックの数に対応し、
又は、前記少なくとも一つの同期ブロードキャストブロック識別子の最大値が前記少なくとも一つの候補伝送位置の数に対応する。
【０００９】
本開示の実施例によって提供される技術的解決策は、本実施例において、様々な同期ブロードキャストブロック識別子の番号付加方式が提供され、柔軟に採用でき、ユーザ機器による識別及び同期処理を容易にすることができるという有益な効果を奏することができる。
【００１０】
一つの実施例では、前記少なくとも一つの同期ブロードキャストブロック識別子は、前記同期ブロードキャストブロック内のＰＢＣＨチャネルのＤＭＲＳシーケンスとＰＢＣＨ内のデータビットを介して送信される。
【００１１】
本開示の実施例によって提供される技術的解決策は、本実施例において同期ブロードキャストブロック識別子の伝送位置の実現スキームが提供されるという有益な効果を奏することができる。
【００１２】
一つの実施例では、前記少なくとも一つの候補伝送位置で、ビーム走査して生成された前記同期ブロードキャスト伝送を送信することは、
選定された候補送信タイムスロットにおける前記少なくとも一つの候補伝送位置で、ビーム走査して生成された前記同期ブロードキャスト伝送を送信することを含む。
【００１３】
ここで、前記候補送信タイムスロットの候補セットが｛１０、２０、４０、８０、１６０｝ｍｓであり、
又は、一つの時間間隔内の同期ブロードキャストブロックの数が４である場合、前記候補送信タイムスロットの候補セットが｛５、１０、２０、４０、８０、１６０｝ｍｓであり、一つの時間間隔内の同期ブロードキャストブロックの数が４より大きい場合、前記候補送信タイムスロットの候補セットが｛１０、２０、４０、８０、１６０｝ｍｓである。
【００１４】
本開示の実施例によって提供される技術的解決策は、本実施例で多くの候補伝送位置が提供されるため、候補送信タイムスロットがそれに応じて変更されるという有益な効果を奏することができる。本実施例において候補送信タイムスロットの実現スキームが提供される。
【００１５】
一つの実施例では、少なくとも２つの送信待ちの同期ブロードキャストブロックが１グループに属し、
前記方法はさらに、
前記少なくとも一つの候補伝送位置が空いているか否かを検出することと、
前記少なくとも一つの候補伝送位置が空いていない場合、前記送信待ちの同期ブロードキャストブロックの所在するグループ内の全ての同期ブロードキャストブロックを確定することと、
前記所在するグループ内の全ての同期ブロードキャストブロックに対応する少なくとも一つの候補伝送位置でビーム走査して生成された前記同期ブロードキャスト伝送を送信することを放棄することと、を含む。
【００１６】
本開示の実施例によって提供される技術的解決策は、本実施例において、複数の送信待ちの同期ブロードキャストブロックを１グループにすることができ、それによって、基地局が複数の同期ブロードキャストブロックを一括管理し、複数の同期ブロードキャストブロックの送信又は送信の放棄を制御することが容易になるという有益な効果を奏することができる。
【００１７】
本開示の実施例の第二の態様による同期ブロードキャスト伝送の伝送方法は、
基地局から送信された同期ブロードキャスト伝送を受信することと、
前記同期ブロードキャスト伝送に基づいて同期ブロードキャストブロックを解析し、同期ブロードキャストブロック識別子を取得することと、
予め設定された同期ブロードキャストブロック識別子とサブフレーム番号との対応関係に基づいて、取得された前記同期ブロードキャストブロック識別子に対応するサブフレーム番号を確定することとを含む。
【００１８】
本開示の実施例によって提供される技術的解決策は、本実施例において、ユーザ機器が同期ブロードキャストブロック識別子を解析し、対応するサブフレーム番号を確定することができ、それによってネットワーク側との同期を実現するという有益な効果を奏することができる。
【００１９】
一つの実施例では、前記少なくとも一つの同期ブロードキャストブロック識別子の最大値が少なくとも一つの候補伝送位置の数に対応し、
前記方法はさらに、
前記少なくとも一つの候補伝送位置の数と一つの時間間隔内の同期ブロードキャストブロックの数との対応関係に基づいて、取得された前記同期ブロードキャストブロック識別子に対して換算を行うことを含み、
取得された前記同期ブロードキャストブロック識別子に対応するサブフレーム番号を確定することは、
換算後の同期ブロードキャストブロック識別子に対応するサブフレーム番号を確定することを含む。
【００２０】
本開示の実施例によって提供される技術的解決策は、本実施例において、ユーザ機器が解析された同期ブロードキャストブロック識別子を識別し、同期ブロードキャストブロック識別子を、サブフレーム番号に対応できる同期ブロードキャストブロック識別子に換算して、同期処理を実現することができるという有益な効果を奏することができる。
【００２１】
一つの実施例では、前記同期ブロードキャスト伝送に基づいて同期ブロードキャストブロックを解析し、同期ブロードキャストブロック識別子を取得することは、
前記同期ブロードキャスト伝送に基づいて、同期ブロードキャストブロック内のＰＢＣＨチャネルのＤＭＲＳシーケンスとＰＢＣＨ内のデータビットを解析することと、
前記同期ブロードキャストブロック内のＰＢＣＨチャネルのＤＭＲＳシーケンスとＰＢＣＨ内のデータビットによって同期ブロードキャストブロック識別子を取得することと、を含む。
【００２２】
本開示の実施例によって提供される技術的解決策は、本実施例において、ユーザ機器が、ＰＢＣＨチャネルのＤＭＲＳシーケンスとＰＢＣＨ内のデータビット上で同期ブロードキャストブロック識別子の取得を実現することができ、実現スキームが提供されるという有益な効果を奏することができる。
【００２３】
本開示の実施例の第三の態様による同期ブロードキャスト伝送の伝送装置は、
送信待ちの少なくとも一つの同期ブロードキャストブロックに対応する少なくとも一つの候補伝送位置を確定するように構成され、前記少なくとも一つの候補伝送位置の数が、一つの時間間隔内の同期ブロードキャストブロックの数よりも大きい位置モジュールと、
前記少なくとも一つの同期ブロードキャストブロックを含む同期ブロードキャスト伝送を生成するように構成される生成モジュールと、
前記少なくとも一つの候補伝送位置で、ビーム走査して生成された前記同期ブロードキャスト伝送を送信するように構成されるブロードキャストモジュールと、を備える。
【００２４】
一つの実施例では、前記少なくとも一つの候補伝送位置の数は、一つの時間間隔内の同期ブロードキャストブロックの数のｎ倍であり、ここで、ｎ＝２であり、又はｎが、一つの時間間隔の時間長の半フレーム分の時間長に対する倍数である。
【００２５】
一つの実施例では、前記同期ブロードキャスト伝送は、さらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれ、
ここで、前記少なくとも一つの同期ブロードキャストブロック識別子の最大値が一つの時間間隔内の同期ブロードキャストブロックの数に対応し、
又は、前記少なくとも一つの同期ブロードキャストブロック識別子の最大値が前記少なくとも一つの候補伝送位置の数に対応する。
【００２６】
一つの実施例では、前記少なくとも一つの同期ブロードキャストブロック識別子は、前記同期ブロードキャストブロック内のＰＢＣＨチャネルのＤＭＲＳシーケンスとＰＢＣＨ内のデータビットを介して送信される。
【００２７】
一つの実施例において、前記ブロードキャストモジュールは、
選定された候補送信タイムスロットにおける前記少なくとも一つの候補伝送位置で、ビーム走査して生成された前記同期ブロードキャスト伝送を送信するように構成されるブロードキャストサブモジュールと、を含み、
ここで、前記候補送信タイムスロットの候補セットが｛１０、２０、４０、８０、１６０｝ｍｓであり、
又は、一つの時間間隔内の同期ブロードキャストブロックの数が４である場合、前記候補送信タイムスロットの候補セットが｛５、１０、２０、４０、８０、１６０｝ｍｓであり、一つの時間間隔内の同期ブロードキャストブロックの数が４より大きい場合、前記候補送信タイムスロットの候補セットが｛１０、２０、４０、８０、１６０｝ｍｓである。
【００２８】
一つの実施例では、少なくとも２つの送信待ちの同期ブロードキャストブロックが１グループに属し、
前記装置はさらに、
前記少なくとも一つの候補伝送位置が空いているか否かを検出するように構成される検出モジュールと、
前記少なくとも一つの候補伝送位置が空いていない場合、前記送信待ちの同期ブロードキャストブロックの所在するグループ内の全ての同期ブロードキャストブロックを確定するように構成されるグループモジュールと、
前記所在するグループ内の全ての同期ブロードキャストブロックに対応する少なくとも一つの候補伝送位置でビーム走査して生成された前記同期ブロードキャスト伝送を送信することを放棄するように構成される放棄モジュールとを備える。
【００２９】
本開示の実施例の第四の態様による同期ブロードキャスト伝送の伝送装置は、
基地局から送信された同期ブロードキャスト伝送を受信するように構成される受信モジュールと、
前記同期ブロードキャスト伝送に基づいて同期ブロードキャストブロックを解析し、同期ブロードキャストブロック識別子を取得するように構成される解析モジュールと、
予め設定された同期ブロードキャストブロック識別子とサブフレーム番号との対応関係に基づいて、取得された前記同期ブロードキャストブロック識別子に対応するサブフレーム番号を確定するように構成される確定モジュールとを備える。
【００３０】
一つの実施例では、前記少なくとも一つの同期ブロードキャストブロック識別子の最大値が少なくとも一つの候補伝送位置の数に対応し、
前記装置はさらに、
前記少なくとも一つの候補伝送位置の数と一つの時間間隔内の同期ブロードキャストブロックの数との対応関係に基づいて、取得された前記同期ブロードキャストブロック識別子に対して換算を行うように構成される換算モジュールを備え、
前記確定モジュールは、
換算後の同期ブロードキャストブロック識別子に対応するサブフレーム番号を確定するように構成される確定サブモジュールを含む。
【００３１】
一つの実施例において、前記解析モジュールは、
前記同期ブロードキャスト伝送に基づいて、同期ブロードキャストブロック内のＰＢＣＨチャネルのＤＭＲＳシーケンスとＰＢＣＨ内のデータビットを解析するように構成される解析サブモジュールと、
前記同期ブロードキャストブロック内のＰＢＣＨチャネルのＤＭＲＳシーケンスとＰＢＣＨ内のデータビットによって同期ブロードキャストブロック識別子を取得するように構成される取得サブモジュールとを含む。
【００３２】
本開示の実施例の第五の態様による同期ブロードキャスト伝送の伝送装置は、
プロセッサと、
プロセッサで実行可能な命令を記憶するように構成されるメモリとを備え、
ここで、前記プロセッサは、
送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きく、
前記少なくとも一つの同期ブロードキャストブロックを含む同期ブロードキャスト伝送を生成し、
前記少なくとも一つの候補伝送位置で、ビーム走査して生成された前記同期ブロードキャスト伝送を送信するように構成される。
【００３３】
本開示の実施例の第六の態様による同期ブロードキャスト伝送の伝送装置は、
プロセッサと、
プロセッサで実行可能な命令を記憶するように構成されるメモリとを備え、
ここで、前記プロセッサは、
基地局から送信された同期ブロードキャスト伝送を受信し、
前記同期ブロードキャスト伝送に基づいて同期ブロードキャストブロックを解析し、同期ブロードキャストブロック識別子を取得し、
予め設定された同期ブロードキャストブロック識別子とサブフレーム番号との対応関係に基づいて、取得された前記同期ブロードキャストブロック識別子に対応するサブフレーム番号を確定するように構成される。
【００３４】
本開示の実施例の第七の態様によるコンピュータ可読記憶媒体は、コンピュータ命令を記憶し、該命令がプロセッサによって実行されると上記基地局側での方法を実現する。
【００３５】
本開示の実施例の第八の態様によるコンピュータ可読記憶媒体は、コンピュータ命令を記憶し、該命令がプロセッサによって実行されると上記ユーザ機器側での方法を実現する。
【００３６】
以上の一般的な説明及び以下の詳細な説明は例示的及び解釈的なものだけであり、本開示を制限できないと理解すべきである。
【図面の簡単な説明】
【００３７】
【図１】一つの例示的な実施例による同期ブロードキャスト伝送の伝送方法のフローチャートである。
【図２】一つの例示的な実施例によるＳＳＢの概略図である。
【図３】具体的な実施例１によるＳＳＢの概略図である。
【図４】一つの例示的な実施例によるＳＳＢの概略図である。
【図５】具体的な実施例１による同期ブロードキャスト伝送の伝送方法のフローチャートである。
【図６】具体的な実施例１による同期ブロードキャスト伝送の伝送方法のフローチャートである。
【図７】一つの例示的な実施例による同期ブロードキャスト伝送の伝送方法のフローチャートである。
【図８】具体的な実施例１による同期ブロードキャスト伝送の伝送装置のブロック図である。
【図９Ａ】具体的な実施例１によるブロードキャストモジュールのブロック図である。
【図９Ｂ】一つの例示的な実施例による同期ブロードキャスト伝送の伝送装置のブロック図である。
【図１０】一つの例示的な実施例による同期ブロードキャスト伝送の伝送装置のブロック図である。
【図１１】具体的な実施例２による同期ブロードキャスト伝送の伝送装置のブロック図である。
【図１２】一つの例示的実施例による確定モジュールのブロック図である。
【図１３】具体的な実施例２による解析モジュールのブロック図である。
【図１４】一つの例示的な実施例による同期ブロードキャスト伝送の伝送に適用する装置のブロック図である。
【図１５】一つの例示的な実施例による同期ブロードキャスト伝送の伝送に適用する装置のブロック図である。
【発明を実施するための形態】
【００３８】
ここでの添付図面は本明細書に組み込まれて本明細書の一部を構成し、本開示に一致する実施例を示し、且つ明細書と共に本開示の原理を解釈することに用いられる。
【００３９】
ここで例示的実施例を詳しく説明し、その例が図面に示される。以下の説明が図面に関する時に、特に明記しない限り、異なる図面における同じ数字は同じ又は類似の要素を表す。以下の例示的実施例で説明される実施形態は本開示に一致する全ての実施形態を表すものではない。逆に、それらは添付の特許請求の範囲で詳細に記載される、本開示のいくつかの態様に一致する装置及び方法の例に過ぎない。
【００４０】
関連技術において、アンライセンス周波数帯域で独立してネットワーキングすることが提案されており、即ち、新エアインターフェース（ＮＲ）セルに依存せず、アンライセンス周波数帯域のセルを初期アクセスなどの全ての機能を完了させることである。アンライセンス周波数帯域セルでのＳＳＢの伝送がまず必要とするが、業界では効果的な解決策が未だに存在しない。一つの可能な解決策は、ＮＲセルのＳＳＢ設計スキームを踏襲することである。該設計スキームは、アンライセンス周波数帯域のリッスンビフォアトーク（ＬＢＴ：Ｌｉｓｔｅｎ  ｂｅｆｏｒｅ  Ｔａｌｋ）の原則に従う必要があり、即ち、信号を送信する前にエネルギーを検出しなければならなく、他人がこのチャネルで送信している場合、待機する必要がある。ＬＢＴの原則に従う前提で、ＮＲセルのＳＳＢ設計スキームを踏襲するとした場合、ＵＥ（ユーザ機器）のサーチ遅延の問題が発生し得る。例えば、アンライセンス周波数帯域で、ＵＥがＳＳＢ１の送信タイミングでＳＳＢのサーチを開始するが、基地局がＳＳＢ１の送信タイミングでチャネルが占有されていることを検出した場合、基地局は、ＳＳＢ１の送信タイミングを見逃し、ＵＥはＳＳＢ２のサーチを待機するしかない。ＳＳＢ２とＳＳＢ３の送信でも上記の状況が発生すると、ＵＥはこの期間内にＳＳＢをサーチできなくなり、ＵＥのサーチ遅延が発生する。また、５Ｇ（第５世代通信システム）におけるビーム走査送信の特性の関係で、ＳＳＢ２、ＳＳＢ３の送信タイミングでチャネルが占有されていなくても、偶々、ビーム方向がＵＥに向いていない場合、ＵＥは送信されたビームを受信できず、同様に、ＳＳＢ２とＳＳＢ３がサーチできないため、ＵＥのサーチが遅延する。
【００４１】
上記問題を解決するために、本実施例でより多くの候補伝送位置が提供され、前記少なくとも一つの候補伝送位置の数が、一つの時間間隔内の同期ブロードキャストブロックの数よりも大きい。ある候補伝送位置が他のリソースに占有されている場合でも、基地局は他の候補伝送位置で同期ブロードキャスト伝送を伝送することができる。このようにして、基地局は同期ブロードキャスト伝送を送信する機会がより多く、これは、ＵＥが同期処理を適時に行うことに役立つ。
【００４２】
図１は一つの例示的な実施例による同期ブロードキャスト伝送の伝送方法のフローチャートであり、該同期ブロードキャスト伝送の伝送方法は、基地局などのネットワークアクセス装置に用いられる。図１に示すように、該方法は次のステップ１０１〜ステップ１０３を含む。
【００４３】
ステップ１０１で、送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きい。
【００４４】
ステップ１０２で、前記少なくとも一つの同期ブロードキャストブロックを含む同期ブロードキャスト伝送を生成する。
【００４５】
ステップ１０３で、前記少なくとも一つの候補伝送位置で、ビーム走査して生成された前記同期ブロードキャスト伝送を送信する。
【００４６】
本実施例では、一つの時間間隔内の同期ブロードキャストブロックの数は、周波数帯域に応じてシステムによって事前に設定されており、一つの時間間隔内で送信できる同期ブロードキャストブロックの最大数である。候補伝送位置の数もシステムによって事前に設定されており、一つの時間間隔内の候補伝送位置の最大値である。
【００４７】
関連技術では、候補伝送位置の数は、一つの時間間隔内の同期ブロードキャストブロックの数以下であり、それに対して、本実施例では、前記候補伝送位置の数は、一つの時間間隔内の同期ブロードキャストブロックの数よりも大きい。より多くの候補伝送位置が提供され、また、より多くの数量及び可能な方向におけるビームを提供し、同期ブロードキャスト伝送を搬送する。ある候補伝送位置が他のリソースに占有されている場合、基地局は、多くの他の候補伝送位置で同期ブロードキャスト伝送を伝送することができる。このようにして、一つの時間間隔で、基地局は同期ブロードキャスト伝送を送信する機会が多く、これは、ＵＥが同期ブロードキャスト伝送を適時にサーチして同期処理を行うことに役立つ。
【００４８】
例えば、図２に示すように、一つの時間間隔内の同期ブロードキャストブロック（ＳＳＢ）の数が４（即ちＬ＝４）であることを例とすると、即ち、一つの時間間隔で最大４つのＳＳＢが伝送される。１つのサブフレームで最大２つのＳＳＢが伝送される。本実施例では候補伝送位置の数は、一つの時間間隔内の同期ブロードキャストブロックの数よりも大きく、即ちＬ＝４の場合、候補伝送位置の数は少なくとも５に等しい。Ｌ＝８の場合、候補伝送位置の数は少なくとも９に等しい。Ｌは６４などであってもよく、原理は上記と同じであり、ここでは説明を省略する。候補伝送位置の数は、一つの時間間隔内の同期ブロードキャストブロックの数の構成に応じて決定されることができる。異なる周波数帯域では、一つの時間間隔内の同期ブロードキャストブロックの数が異なり、それに応じて候補伝送位置の数も変化する。各候補伝送位置に対応するサブフレームとサブフレームにおける位置は柔軟に設定されてもよく、位置は不連続又は連続であってもよい。
【００４９】
基地局は、設定された全ての候補伝送位置、及び対応するサブフレーム、さらに対応する半フレームをＵＥに事前に通知することができる。
【００５０】
基地局は、まず送信待ちの同期ブロードキャストブロックの同期ブロック識別子を確定し、次に該同期ブロック識別子に対応する候補伝送位置を確定し、その後前記候補伝送位置で、ビーム走査して生成された前記同期ブロードキャスト伝送を送信する。
【００５１】
一つの実施例では、候補伝送位置の数は、複数の選択肢があり得て、例えば、前記候補伝送位置の数は、一つの時間間隔内の同期ブロードキャストブロックの数のｎ倍であり、ここで、ｎ＝２であり、又はｎが、一つの時間間隔の時間長の半フレーム分の時間長に対する倍数である。
【００５２】
候補伝送位置の数は、一つの時間間隔内の同期ブロードキャストブロックの数の整数倍であり、これにより、基地局による候補伝送位置の管理及び制御が容易になり、同期ブロードキャストブロック識別子の設定及びユーザ機器への同期ブロードキャストブロック識別子とサブフレーム番号との対応関係の通知も容易になり、また、ユーザ機器が同期ブロードキャストブロック識別子を識別することに役立つ。
【００５３】
例えば、ｎ＝２を例とすると、Ｌ＝４の場合、候補伝送位置の数は８である。Ｌ＝８の場合、候補伝送位置の数は１６である。また、例えば、ｎが、一つの時間間隔の時間長の半フレーム分の時間長に対する倍数である。一つの時間間隔の時間長が２０ｍｓであり、半フレーム分の時間長が５ｍｓであると、ｎ＝４である。Ｌ＝４の場合、候補伝送位置の数は１６である。Ｌ＝８の場合、候補伝送位置の数は３２である。即ち、４つの半フレームのそれぞれに候補伝送位置が設定されてもよいく、１つの時間間隔でより多くの候補伝送位置が提供され、且つ候補伝送位置が複数の半フレームに分散される。１つの半フレームを見逃しても、一つの時間間隔内の他の半フレームでＳＳＢを伝送することができ、より多くの選択肢と送信機会がある。
【００５４】
一つの実施例では、前記同期ブロードキャスト伝送は、さらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれる。
【００５５】
ここで、前記少なくとも一つの同期ブロードキャストブロック識別子の最大値は、一つの時間間隔内の同期ブロードキャストブロックの数に対応する。
【００５６】
又は、前記少なくとも一つの同期ブロードキャストブロック識別子の最大値は、前記候補伝送位置の数に対応する。
【００５７】
例えば、ｎ＝２を例とすると、Ｌ＝４の場合、候補伝送位置の数は８であり、８つのＳＳＢに対応する。この８つのＳＳＢの同期ブロードキャストブロック識別子がどのように構成されるかについて、複数の解決策がある。第一の解決策では、前記少なくとも一つの同期ブロードキャストブロック識別子の最大値は、一つの時間間隔内の同期ブロードキャストブロックの数に対応する。Ｌ＝４の場合、同期ブロードキャストブロック識別子の最大値が３であり、０から番号を付加すると、ＳＳＢ０、ＳＳＢ１、ＳＳＢ２、ＳＳＢ３がある。候補伝送位置の数が８である場合、図３に示すように、２グループのＳＳＢ０、ＳＳＢ１、ＳＳＢ２、ＳＳＢ３がある。２グループのＳＳＢは同一の半フレームに位置してもよく、又は２グループのＳＳＢはそれぞれ２つの半フレームに位置し、１グループのＳＳＢは１つの半フレームに位置する。どの半フレーム、半フレームのどのサブフレームを送信候補位置として利用するかを柔軟に設定されてもよい。
【００５８】
ＳＳＢが合計８つであるが、一つの時間間隔で最大４つのＳＳＢが送信される。候補伝送位置と同期ブロードキャストブロック識別子の間には固定された対応関係があるため、候補伝送位置が選択されると、以前に送信された同期ブロードキャストブロック識別子に関係なく、該候補伝送位置で対応する同期ブロードキャストブロック識別子が伝送される。
【００５９】
第二の解決策では、前記少なくとも一つの同期ブロードキャストブロック識別子の最大値は、前記候補伝送位置の数に対応する。候補伝送位置の数が８である場合、同期ブロードキャストブロック識別子の最大値が７であり、０から番号を付加すると、ＳＳＢ０、ＳＳＢ１、．．．．．．、ＳＳＢ６とＳＳＢ７がある。図４に示すように、同様に、ＳＳＢが合計８つであるが、一つの時間間隔で最大４つのＳＳＢが送信される。候補伝送位置と同期ブロードキャストブロック識別子の間には固定された対応関係があるため、候補伝送位置が選択されると、以前に送信された同期ブロードキャストブロック識別子に関係なく、該候補伝送位置で対応する同期ブロードキャストブロック識別子が伝送される。
【００６０】
一つの実施例では、前記同期ブロードキャストブロック識別子は、前記同期ブロードキャストブロック内のＰＢＣＨ（物理ブロードキャストチャネル：Ｐｈｙｓｉｃａｌ  Ｂｒｏａｄｃａｓｔ  ＣＨａｎｎｅｌ）チャネルのＤＭＲＳ（復調基準信号：Ｄｅｍｏｄｕｌａｔｉｏｎ  Ｒｅｆｅｒｅｎｃｅ  Ｓｉｇｎａｌ）シーケンスとＰＢＣＨ内のデータビットを介して伝送される。
【００６１】
ｎ＝２を例とすると、上記第二の解決策を採用する場合、前記同期ブロードキャストブロック識別子の最大値は前記候補伝送位置の数に対応する。Ｌ＝４、候補伝送位置の数が８である場合、同期ブロードキャストブロック識別子の最大値は７であり、同期ブロードキャストブロック識別子は３ビットを占める。Ｌ＝８、候補伝送位置の数が１６である場合、同期ブロードキャストブロック識別子の最大値は１５であり、同期ブロードキャストブロック識別子は４ビットを占める。Ｌ＝６４、候補伝送位置の数が１２８である場合、同期ブロードキャストブロック識別子の最大値は１２７であり、同期ブロードキャストブロック識別子は６ビットを占める。したがって、関連技術では、ＰＢＣＨチャネルのＤＭＲＳシーケンス内の、同期ブロードキャストブロック識別子のために予約されたビット数がニーズを満たすことができないため、本実施例ではＰＢＣＨ内のデータビットが借りて使用する。ＰＢＣＨチャネルのＤＭＲＳシーケンスとＰＢＣＨ内のデータビットを利用して同期ブロードキャストブロック識別子を共同で伝送する。ここで、同期ブロードキャストブロック識別子は、ＰＢＣＨチャネルのＤＭＲＳシーケンス内の下位３ビット、及びＰＢＣＨ内の３つのデータビットを占有することができる。基地局は、実際に送信されたＳＳＢの所在するサブフレームとサブフレーム内の同期ブロードキャストブロック識別子をＲＭＳＩ（残りの重要なシステム情報：Ｒｅｍａｉｎｉｎｇ  Ｋｅｙ  Ｓｙｓｔｅｍ  Ｉｎｆｏｒｍａｔｉｏｎ）でＵＥに送信する。
【００６２】
一つの実施例では、前記ステップ１０３はステップＡを含む。
【００６３】
ステップＡで、選定された候補送信タイムスロットにおける前記少なくとも一つの候補伝送位置で、ビーム走査して生成された前記同期ブロードキャスト伝送を送信する。
【００６４】
ここで、前記候補送信タイムスロットの候補セットは｛１０、２０、４０、８０、１６０｝ｍｓである。
【００６５】
又は、一つの時間間隔内の同期ブロードキャストブロックの数が４である場合、前記候補送信タイムスロットの候補セットは｛５、１０、２０、４０、８０、１６０｝ｍｓであり、一つの時間間隔内の同期ブロードキャストブロックの数が４より大きい場合、前記候補送信タイムスロットの候補セットは、｛１０、２０、４０、８０、１６０｝ｍｓである。
【００６６】
上記から、本実施例で候補伝送位置が追加され、複数の候補伝送位置が複数のサブフレームに対応する可能性があることが分かる。半フレーム分の時間長が５ｍｓであることを例とすると、Ｌ＝８、ｎ＝２の場合、候補伝送位置の数は１６であり、少なくとも８つのサブフレームに対応し、２つの半フレームに対応する。候補送信タイムスロットが５ｍｓである場合、１０ｍｓになると他の候補送信タイムスロットに到達するが、この時に２つの半フレームのニーズを満たすことができない。したがって、本実施例でＬ＝４、８、６４であり且つｎが少なくとも２である場合、候補送信タイムスロットの候補セットは｛１０、２０、４０、８０、１６０｝ｍｓである。又は、一つの時間間隔内の同期ブロードキャストブロックの数が４である場合、前記候補送信タイムスロットの候補セットは｛５、１０、２０、４０、８０、１６０｝ｍｓであり、一つの時間間隔内の同期ブロードキャストブロックの数が４より大きい場合、前記候補送信タイムスロットの候補セットは、｛１０、２０、４０、８０、１６０｝ｍｓである。
【００６７】
一つの実施例では、前記方法はさらにステップＢ１とステップＢ２を含む。
【００６８】
ステップＢ１で、前記少なくとも一つの候補伝送位置が空いているか否かを検出する。
【００６９】
ステップＢ２で、前記少なくとも一つの候補伝送位置が空いていないと検出された場合、前記少なくとも一つの候補伝送位置でビーム走査して生成された前記同期ブロードキャスト伝送を送信することを放棄する。次の少なくとも一つの候補伝送位置を確定することは、ステップ１０１を継続することに相当する。
【００７０】
前記少なくとも一つの候補伝送位置が空いていることが検出された場合、ステップ１０２が継続される。
【００７１】
基地局は、候補伝送位置を選択した後、該候補伝送位置が空いているか否かを検出し、空いている場合、ＳＳＢの送信に使用できる。空いていない場合、ニーズに応じて候補伝送位置を再度選択する。この再度選択された候補伝送位置は、該候補伝送位置に隣接する次の候補伝送位置であってもよいし、Ｌだけ離れた候補伝送位置であってもよい。例えば、現在選択されている候補伝送位置がＳＳＢ０に対応しているが、現在選択されている候補伝送位置が空いていなく、ＳＳＢ０の伝送が放棄された場合、ＳＳＢ１に対応する候補伝送位置を選択し、ＳＳＢ０＋Ｌに対応する候補伝送位置を選択する。また、例えば、ＳＳＢ０とＳＳＢ２の伝送が予想され、ＳＳＢ０に対応する候補伝送位置が空いていないことが検出された場合、ＳＳＢ１とＳＳＢ２の伝送に変更し、又はＳＳＢ２とＳＳＢ０＋Ｌの伝送に変更する。
【００７２】
一つの実施例では、少なくとも２つの送信待ちの同期ブロードキャストブロックが１グループに属する。
【００７３】
前記方法は、さらにステップＢ１、ステップＢ３とステップＢ４を含む。
【００７４】
ステップＢ１で、前記少なくとも一つの候補伝送位置が空いているか否かを検出する。
【００７５】
ステップＢ３で、前記少なくとも一つの候補伝送位置が空いていない場合、前記送信待ちの同期ブロードキャストブロックの所在するグループ内の全ての同期ブロードキャストブロックを確定する。
【００７６】
ステップＢ４で、前記所在するグループ内の全ての同期ブロードキャストブロックに対応する少なくとも一つの候補伝送位置でビーム走査して生成された前記同期ブロードキャスト伝送を送信することを放棄する。
【００７７】
前記少なくとも一つの候補伝送位置が空いている場合、グループ内の次の送信待ちの同期ブロードキャストブロックを確定し、該同期ブロードキャストブロックに対応する少なくとも一つの候補伝送位置が空いているか否かを検出する。グループ内の全ての同期ブロードキャストブロックに対応する少なくとも一つの候補伝送位置がいずれも空いている場合、対応する各候補伝送位置でビーム走査して、同期ブロードキャスト伝送を送信する。
【００７８】
本実施例では、複数の同期ブロードキャストブロックを事前にグループ化することができ、例えば、ＳＳＢ１およびＳＳＢ２が１グループに属する。現在の送信待ちの同期ブロードキャストブロックはＳＳＢ１である。ＳＳＢ１に対応する少なくとも一つの候補伝送位置が空いているか否かを検出し、空いていない場合、ＳＳＢ１の所在するグループにＳＳＢ２があると確定し、ＳＳＢ２に対応する送信候補位置を確定する。ＳＳＢ１とＳＳＢ２に対応する少なくとも一つの候補伝送位置でビーム走査して生成された前記同期ブロードキャスト伝送を送信することを放棄する。
【００７９】
基地局は、他の候補伝送位置でＳＳＢ１とＳＳＢ２を伝送したり、他のＳＳＢを送信したりすることもできる。
【００８０】
本実施例では、同期ブロードキャストブロックグループが提案され、複数の同期ブロードキャストブロックが一緒にグループ化される。１グループ内の全ての同期ブロードキャストブロックは、一括管理及び制御されるか、送信が一括に放棄されるか、これは、同期ブロードキャストブロックの集中管理に便利である。
【００８１】
以下に実現プロセスを１つの実施例によって詳細に説明する。
【００８２】
図５は一つの例示的な実施例による同期ブロードキャスト伝送の伝送方法のフローチャートであり、該同期ブロードキャスト伝送の伝送方法は、基地局などのネットワークアクセス装置に用いられる。図１に示すように、該方法は次のステップ５０１〜ステップ５０２を含む。
【００８３】
ステップ５０１で、送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きい。
【００８４】
ステップ５０２で、前記少なくとも一つの候補伝送位置が空いているか否かを検出し、前記少なくとも一つの候補伝送位置が空いていないと検出された場合、前記少なくとも一つの候補伝送位置でビーム走査して生成された前記同期ブロードキャスト伝送を送信することを放棄する。次の候補伝送位置を確定することは、ステップ５０１を継続することに相当する。前記少なくとも一つの候補伝送位置が空いていることが検出された場合、ステップ５０３が継続される。
【００８５】
ステップ５０３で、前記少なくとも一つの同期ブロードキャストブロックを含む同期ブロードキャスト伝送を生成する。
【００８６】
ステップ５０４で、選定された候補送信タイムスロットにおける前記少なくとも一つの候補伝送位置で、ビーム走査して生成された前記同期ブロードキャスト伝送を送信する。
【００８７】
以上に、基地局側で同期ブロードキャスト伝送を伝送する実現プロセスを説明した。これに対応して、ＵＥ側は、同期ブロードキャスト伝送を対応して受信し、同期処理を実行する必要がある。以下にＵＥ側での実現プロセスを説明する。
【００８８】
図６は一つの例示的な実施例による同期ブロードキャスト伝送の伝送方法のフローチャートであり、該同期ブロードキャスト伝送の伝送方法は、基地局などのネットワークアクセス装置に用いられ、ここで、端末は、携帯電話、コンピュータ、デジタル放送端末、メッセージ送受信機器、ゲームコンソール、タブレットデバイス、医療機器、フィットネスデバイス、パーソナルデジタルアシスタントなどであってもよい。図６に示すように、該方法は次のステップ６０１〜ステップ６０３を含む。
【００８９】
ステップ６０１で、基地局から送信された同期ブロードキャスト伝送を受信する。
【００９０】
ステップ６０２で、前記同期ブロードキャスト伝送に基づいて同期ブロードキャストブロックを解析し、同期ブロードキャストブロック識別子を取得する。
【００９１】
ステップ６０３で、予め設定された同期ブロードキャストブロック識別子とサブフレーム番号との対応関係に基づいて、取得された前記同期ブロードキャストブロック識別子に対応するサブフレーム番号を確定する。
【００９２】
図３、図４に示すように、ＵＥは、ＳＳＢの所在するサブフレームとサブフレーム内の同期ブロードキャストブロック識別子をＲＭＳＩによって事前に知ることができる。ＵＥが同期ブロードキャストブロック識別子を解析すると、対応するサブフレーム番号を確定できる。さらに該同期ブロードキャストブロック識別子のビーム方向をアップリンク送信信号の参照として確定し、同期を完了する。
【００９３】
一つの実施例では、前記同期ブロードキャストブロック識別子の最大値は、候補伝送位置の数に対応する。
【００９４】
前記方法はさらにステップＣ１を含む。
【００９５】
ステップＣ１で、前記候補伝送位置の数と一つの時間間隔内の同期ブロードキャストブロックの数との対応関係に基づいて、取得された前記同期ブロードキャストブロック識別子に対して換算を行う。
【００９６】
前記ステップ６０３はステップＣ２を含む。
【００９７】
ステップＣ２で、換算後の同期ブロードキャストブロック識別子に対応するサブフレーム番号を確定する。
【００９８】
ｎ＝２であり、Ｌ＝４を例とすると、候補伝送位置の数が８である場合、同期ブロードキャストブロック識別子は、ＳＳＢ０、ＳＳＢ１、．．．．．．、ＳＳＢ６とＳＳＢ７を含む。１グループのＳＳＢがＳＳＢ０、ＳＳＢ１、ＳＳＢ２及びＳＳＢ３を含み、別のグループＳＳＢがＳＳＢ４、ＳＳＢ５、ＳＳＢ６及びＳＳＢ７を含み、２グループのＳＳＢは、それぞれ２つの半フレームに位置する。同期ブロードキャストブロック識別子とサブフレーム番号との対応関係は表１に簡略化されてもよい。
【表１】
2021517429.tif 000003
このように、関連技術における同期同報ブロック識別子とサブフレーム番号の対応関係の通知方式との互換性がある。例えば、ＵＥは、同期ブロードキャストブロック識別子がＳＳＢ６であることを識別し、前記候補伝送位置の数と一つの時間間隔内の同期ブロードキャストブロックの数との対応関係に基づいて、取得された前記同期ブロードキャストブロック識別子に対して換算を行う。この例では、ｎ＝２である場合、ＳＳＢ６は２で除算され、切り上げられてから１で減算され（０から番号を付加するため、１を減算する）、ＳＳＢ２が得られる。ＳＳＢ２に対応するサブフレーム番号はサブフレーム２であると確定される。
【００９９】
当然ながら、表１がＳＳＢ０、ＳＳＢ１、．．．．．．、ＳＳＢ６及びＳＳＢ７とサブフレーム番号の対応関係に変更されてもよく、同期ブロードキャストブロック識別子とサブフレーム番号及び半フレーム番号との対応関係を追加することもできる。
【０１００】
前記少なくとも一つの同期ブロードキャストブロック識別子の最大値が一つの時間間隔内の同期ブロードキャストブロックの数に対応する場合、ＵＥは、同期ブロードキャストブロック識別子に対して換算を行うことなく、表１に従って対応するサブフレーム番号を直接確定することができる。
【０１０１】
一つの実施例では、前記ステップ６０２はステップＤ１−ステップＤ２を含む。
【０１０２】
ステップＤ１で、前記同期ブロードキャスト伝送に基づいて、同期ブロードキャストブロック内のＰＢＣＨチャネルのＤＭＲＳシーケンスとＰＢＣＨ内のデータビットを解析する。
【０１０３】
ステップＤ２で、前記同期ブロードキャストブロック内のＰＢＣＨチャネルのＤＭＲＳシーケンスとＰＢＣＨ内のデータビットによって同期ブロードキャストブロック識別子を取得する。
【０１０４】
ＵＥは、同期ブロードキャストブロック識別子がＰＢＣＨチャネルのＤＭＲＳシーケンスとＰＢＣＨ内のデータビットで伝送されることを事前に知る。ＰＢＣＨチャネルのＤＭＲＳシーケンスが同期ブロードキャストブロック識別子の下位３ビットを搬送し、ＰＢＣＨのデータビットが同期ブロードキャストブロック識別子の上位２ビットを搬送する。
【０１０５】
以下に実現プロセスを１つの実施例によって詳細に説明する。
【０１０６】
図７は一つの例示的な実施例による同期ブロードキャスト伝送の伝送方法のフローチャートであり、該同期ブロードキャスト伝送の伝送方法は、基地局などのネットワークアクセス装置に用いられ、ここで、端末は、携帯電話、コンピュータ、デジタル放送端末、メッセージ送受信機器、ゲームコンソール、タブレットデバイス、医療機器、フィットネスデバイス、携帯情報端末などであってもよい。図７に示すように、該方法は次のステップ７０１〜ステップ７０３を含む。
【０１０７】
ステップ７０１で、基地局から送信された同期ブロードキャスト伝送を受信する。
【０１０８】
ステップ７０２で、前記同期ブロードキャスト伝送に基づいて、同期ブロードキャストブロック内のＰＢＣＨチャネルのＤＭＲＳシーケンスとＰＢＣＨ内のデータビットを解析する。
【０１０９】
ステップ７０３で、前記同期ブロードキャストブロック内のＰＢＣＨチャネルのＤＭＲＳシーケンスとＰＢＣＨ内のデータビットによって同期ブロードキャストブロック識別子を取得する。
【０１１０】
ステップ７０４で、前記少なくとも一つの候補伝送位置の数と一つの時間間隔内の同期ブロードキャストブロックの数との対応関係に基づいて、取得された前記同期ブロードキャストブロック識別子に対して換算を行う。
【０１１１】
ステップ７０５で、予め設定された同期ブロードキャストブロック識別子とサブフレーム番号との対応関係に基づいて、換算後の同期ブロードキャストブロック識別子に対応するサブフレーム番号を確定する。
【０１１２】
上記実施例はニューズに応じて自由に組合わせられてもよい。
【０１１３】
下記は、本開示の方法の実施例の実行に利用可能な本開示の装置の実施例である。
【０１１４】
図８は一つの例示的な実施例による同期ブロードキャスト伝送の伝送装置のブロック図である。該装置は、ソフトウェア、ハードウェア又は両方の組み合わせにより、電子機器の一部又は全部として実現されてもよい。図８を参照すると、該同期ブロードキャスト伝送の伝送装置は、位置モジュール８０１、生成モジュール８０２とブロードキャストモジュール８０３を備え、ここで、
位置モジュール８０１が送信待ちの少なくとも一つの同期ブロードキャストブロックに対応する少なくとも一つの候補伝送位置を確定するように構成され、前記少なくとも一つの候補伝送位置の数が、一つの時間間隔内の同期ブロードキャストブロックの数よりも大きい。
【０１１５】
生成モジュール８０２は、前記少なくとも一つの同期ブロードキャストブロックを含む同期ブロードキャスト伝送を生成するように構成される。
【０１１６】
ブロードキャストモジュール８０３は、前記少なくとも一つの候補伝送位置で、ビーム走査して生成された前記同期ブロードキャスト伝送を送信するように構成される。
【０１１７】
一つの実施例では、前記少なくとも一つの候補伝送位置の数は、一つの時間間隔内の同期ブロードキャストブロックの数のｎ倍であり、ここで、ｎ＝２であり、又はｎが、一つの時間間隔の時間長の半フレーム分の時間長に対する倍数である。
【０１１８】
一つの実施例では、前記同期ブロードキャスト伝送は、さらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれる。
【０１１９】
ここで、前記少なくとも一つの同期ブロードキャストブロック識別子の最大値は、一つの時間間隔内の同期ブロードキャストブロックの数に対応する。
【０１２０】
又は、前記同期ブロードキャストブロック識別子の最大値は、前記少なくとも一つの候補伝送位置の数に対応する。
【０１２１】
一つの実施例では、前記少なくとも一つの同期ブロードキャストブロック識別子は、前記同期ブロードキャストブロック内のＰＢＣＨチャネルのＤＭＲＳシーケンスとＰＢＣＨ内のデータビットを介して送信される。
【０１２２】
一つの実施例では、図９Ａに示すように、前記ブロードキャストモジュール８０３は、ブロードキャストサブモジュール９０１を含む。
【０１２３】
ブロードキャストサブモジュール９０１は、選定された候補送信タイムスロットにおける前記少なくとも一つの候補伝送位置で、ビーム走査して生成された前記同期ブロードキャスト伝送を送信するように構成される。
【０１２４】
ここで、前記候補送信タイムスロットの候補セットは｛１０、２０、４０、８０、１６０｝ｍｓである。
【０１２５】
又は、一つの時間間隔内の同期ブロードキャストブロックの数が４である場合、前記候補送信タイムスロットの候補セットは｛５、１０、２０、４０、８０、１６０｝ｍｓであり、一つの時間間隔内の同期ブロードキャストブロックの数が４より大きい場合、前記候補送信タイムスロットの候補セットは、｛１０、２０、４０、８０、１６０｝ｍｓである。
【０１２６】
一つの実施例では、少なくとも２つの送信待ちの同期ブロードキャストブロックが１グループに属する。
【０１２７】
図９Ｂに示すように、前記装置は、さらに検出モジュール９１１、グループモジュール９１２と放棄モジュール９１３を備える。
【０１２８】
検出モジュール９１１は、前記少なくとも一つの候補伝送位置が空いているか否かを検出するように構成される。
【０１２９】
グループモジュール９１２は、前記少なくとも一つの候補伝送位置が空いていない場合、前記送信待ちの同期ブロードキャストブロックの所在するグループ内の全ての同期ブロードキャストブロックを確定するように構成される。
【０１３０】
放棄モジュール９１３は、前記所在するグループ内の全ての同期ブロードキャストブロックに対応する少なくとも一つの候補伝送位置で、ビーム走査して生成された前記同期ブロードキャスト伝送を送信することを放棄するように構成される。
【０１３１】
図１０は一つの例示的な実施例による同期ブロードキャスト伝送の伝送装置のブロック図である。該装置は、ソフトウェア、ハードウェア、又は両方の組み合わせにより、電子機器の一部又は全部として実現されてもよい。図１０を参照すると、該同期ブロードキャスト伝送の伝送装置は、受信モジュール１００１、解析モジュール１００２と確定モジュール１００３を備え、ここで、
受信モジュール１００１が基地局から送信された同期ブロードキャスト伝送を受信するように構成される。
【０１３２】
解析モジュール１００２は、前記同期ブロードキャスト伝送に基づいて同期ブロードキャストブロックを解析し、同期ブロードキャストブロック識別子を取得するように構成される。
【０１３３】
確定モジュール１００３は、予め設定された同期ブロードキャストブロック識別子とサブフレーム番号との対応関係に基づいて、取得された前記同期ブロードキャストブロック識別子に対応するサブフレーム番号を確定するように構成される。
【０１３４】
一つの実施例では、前記同期ブロードキャストブロック識別子の最大値は、少なくとも一つの候補伝送位置の数に対応する。
【０１３５】
図１１に示すように、前記装置はさらに、
前記少なくとも一つの候補伝送位置の数と一つの時間間隔内の同期ブロードキャストブロックの数との対応関係に基づいて、取得された前記同期ブロードキャストブロック識別子に対して換算を行うように構成される換算モジュール１１０１を備える。
【０１３６】
図１２に示すように、前記確定モジュール１００３は、確定サブモジュール１２０１を含む。
【０１３７】
確定サブモジュール１２０１は、換算後の同期ブロードキャストブロック識別子に対応するサブフレーム番号を確定するように構成される。
【０１３８】
一つの実施例では、図１３に示すように、前記解析モジュール１００２は、解析サブモジュール１３０１と取得サブモジュール１３０２を含む。
【０１３９】
解析サブモジュール１３０１は、前記同期ブロードキャスト伝送に基づいて、同期ブロードキャストブロック内のＰＢＣＨチャネルのＤＭＲＳシーケンスとＰＢＣＨ内のデータビットを解析するように構成される。
【０１４０】
取得サブモジュール１３０２は、前記同期ブロードキャストブロック内のＰＢＣＨチャネルのＤＭＲＳシーケンスとＰＢＣＨ内のデータビットによって同期ブロードキャストブロック識別子を取得するように構成される。
【０１４１】
上記実施例における装置について、その中の各モジュールが操作を実行する具体的な方式はすでに該方法に関する実施例において詳細に説明されたため、ここで詳細な説明を省略する。
【０１４２】
図１４は一つの例示的な実施例による同期ブロードキャスト伝送の伝送に用いられる装置のブロック図である。例えば、装置１４００は、携帯電話、コンピュータ、デジタル放送端末、メッセージ送受信機器、ゲームコンソール、タブレットデバイス、医療機器、フィットネスデバイス、パーソナルデジタルアシスタントなどであってもよい。
【０１４３】
装置１４００は処理コンポーネント１４０２、メモリ１４０４、電源コンポーネント１４０６、マルチメディアコンポーネント１４０８、オーディオコンポーネント１４１０、入力／出力（Ｉ／Ｏ）インタフェース１４１４、センサーコンポーネント１４１４、及び通信コンポーネント１４１６のうちの一つ又は複数を備えることができる。
【０１４４】
処理コンポーネント１４０２は一般的に装置１４００の全体動作、例えば表示、電話コール、データ通信、カメラの動作及び記録動作と関連する動作を制御する。処理コンポーネント１４０２は一つ又は複数のプロセッサ１４２０を含んで命令を実行して、上記の方法の全て又は一部のステップを完了することができる。また、処理コンポーネント１４０２は一つ又は複数のモジュールを含んで他のコンポーネントとのインタラクションを容易にすることができる。例えば、処理コンポーネント１４０２は、マルチメディアモジュール１４０８を含んで処理コンポーネント１４０２とのインタラクションを容易にすることができる。
【０１４５】
メモリ１４０４は様々なタイプのデータを記憶して装置１４００での動作をサポートするように構成される。これらのデータの例は装置１４００で動作するいずれかのアプリケーションプログラム又は方法のための命令、連絡先データ、電話帳データ、メッセージ、イメージ、ビデオなどを含む。メモリ１４０４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【０１４６】
電源コンポーネント１４０６は装置１４００の様々なコンポーネントに電力を供給する。電源コンポーネント１４０６は電源管理システム、一つ又は複数の電源、および装置１４００の電力の生成、管理、及び割り当てに関連する他のコンポーネントを含むことができる。
【０１４７】
マルチメディアコンポーネント１４０８は前記装置１４００とユーザの間の一つの出力インタフェースを提供するスクリーンを含む。いくつかの実施例において、スクリーンは液晶ディスプレイ（ＬＣＤ）とタッチパネル（ＴＰ）を含むことができる。スクリーンがタッチパネルを含む場合、スクリーンはタッチスクリーンとして実現されて、ユーザからの入力信号を受信することができる。タッチパネルは一つ又は複数のタッチセンサーを含んでタッチ、スライドとタッチパネル上のジェスチャをセンシングする。前記タッチセンサーはタッチ又はスライド動作の境界をセンシングするだけでなく、前記タッチ又はスライド動作に関連する持続時間及び圧力を検出することができる。いくつかの実施例において、マルチメディアコンポーネント１４０８は一つのフロントカメラ及び／又はリアカメラを含む。装置１４００が動作モード、例えば撮影モード又はビデオモードにある場合、フロントカメラ及び／又はリアカメラは外部のマルチメディアデータを受信することができる。各フロントカメラ及び／又はリアカメラは一つの固定された光学レンズシステムであってもよく又は焦点距離及び光学ズーム能力を有する。
【０１４８】
オーディオコンポーネント１４１０はオーディオ信号を出力及び／又は入力するように構成される。例えば、オーディオコンポーネント１４１０は一つのマイクロホン（ＭＩＣ）を含み、装置１４００が動作モード、例えばコールモード、記録モードと音声識別モードにある場合、マイクロホンは外部の音声信号を受信するように構成される。受信されたオーディオ信号はさらにメモリ１４０４に記憶又は通信コンポーネント１４１６を介して送信されることができる。いくつかの実施例において、オーディオコンポーネント１４１０はさらにオーディオ信号を出力するためのスピーカを含む。
【０１４９】
Ｉ／Ｏインタフェース１４１４は処理コンポーネント１４０２と周辺インタフェースモジュールの間にインタフェースを提供し、上記周辺インタフェースモジュールがキーボード、クリックホイール、ボタンなどであってもよい。これらのボタンはホームボタン、音量ボタン、スタートボタンとロックボタンを含むことができるがこれらに限定されない。
【０１５０】
センサーコンポーネント１４１４は装置１４００に様々な態様の状態評価を提供するための一つ又は複数のセンサーを含む。例えば、センサーコンポーネント１４１４は装置１４００のオン／オフ状態、コンポーネントの相対的な位置を検出することができ、例えば前記コンポーネントが装置１４００のディスプレイ及びキーパッドであり、センサーコンポーネント１４１４はさらに装置１４００又は装置１４００の一つのコンポーネントの位置変化、ユーザと装置１４００との接触の有無、装置１４００の方位又は加速／減速と装置１４００の温度変化を検出することができる。センサーコンポーネント１４１４はいかなる物理的な接触がない時に近くの物体の存在を検出するように構成された近接センサーを含むことができる。センサーコンポーネント１４１４はさらにＣＭＯＳ又はＣＣＤイメージセンサーなどのイメージングアプリケーションに使用される光センサーを含むことができる。いくつかの実施例において、該センサーコンポーネント１４１４はさらに加速度センサー、ジャイロセンサー、磁気センサー、圧力センサー又は温度センサーを含むことができる。
【０１５１】
通信コンポーネント１４１６は装置１４００と他の装置の間の有線又は無線方式の通信を容易にするように構成される。装置１４００は通信規格に基づく無線ネットワーク、例えばＷｉＦｉ、２Ｇ又は３Ｇ又はそれらの組み合わせにアクセスすることができる。一つの例示的な実施例では、通信コンポーネント１４１６は放送チャネルを介して外部の放送管理システムからの放送信号又は放送関連情報を受信する。一例示的実施例では、前記通信コンポーネント１４１６はさらに近距離通信（ＮＦＣ）モジュールを含み、短距離通信を容易にする。例えば、ＮＦＣモジュールは無線周波数識別（ＲＦＩＤ）技術、赤外線通信協会（ＩｒＤＡ）技術、超広帯域（ＵＷＢ）技術、ブルートゥース（登録商標）（ＢＴ）技術及び他の技術に基づいて実現されてもよい。
【０１５２】
例示的実施例では、装置１４００は上記方法を実行するために、一つ又は複数の特定用途向け集積回路（ＡＳＩＣ）、デジタル信号プロセッサ（ＤＳＰ）、ディジタル信号処理装置（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ又は他の電子素子により実現されてもよい。
【０１５３】
例示的実施例では、命令を含む非一時的コンピュータ可読記憶媒体、例えば命令を含むメモリ１４０４が提供され、上記命令は装置１４００のプロセッサ１４２０によって実行されて上記方法を完了することができる。例えば、前記非一時的コンピュータ可読記憶媒体はＲＯＭ、ランダムアクセスメモリ（ＲＡＭ）、ＣＤ−ＲＯＭ、磁気テープ、フロッピー（登録商標）ディスクと光データ記憶装置などであってもよい。
【０１５４】
例示的な実施例では、同期ブロードキャスト伝送の伝送装置が提供され、前記装置は、
プロセッサと、
プロセッサで実行可能な命令を記憶するように構成されるメモリとを備え、
ここで、プロセッサは、
基地局から送信された同期ブロードキャスト伝送を受信し、
前記同期ブロードキャスト伝送に基づいて同期ブロードキャストブロックを解析し、同期ブロードキャストブロック識別子を取得し、
予め設定された同期ブロードキャストブロック識別子とサブフレーム番号との対応関係に基づいて、取得された前記同期ブロードキャストブロック識別子に対応するサブフレーム番号を確定するように構成される。
【０１５５】
上記プロセッサはさらに、
前記同期ブロードキャストブロック識別子の最大値が前記候補伝送位置の数に対応するように構成されてもよく、
前記方法はさらに、
前記候補伝送位置の数と一つの時間間隔内の同期ブロードキャストブロックの数との対応関係に基づいて、取得された前記同期ブロードキャストブロック識別子に対して換算を行うことを含み、
取得された前記同期ブロードキャストブロック識別子に対応するサブフレーム番号を確定することは、
換算後の同期ブロードキャストブロック識別子に対応するサブフレーム番号を確定することを含む。
【０１５６】
上記プロセッサはさらに、
前記同期ブロードキャスト伝送に基づいて同期ブロードキャストブロックを解析し、同期ブロードキャストブロック識別子を取得するように構成され、
前記同期ブロードキャスト伝送に基づいて同期ブロードキャストブロックを解析し、同期ブロードキャストブロック識別子を取得することは、
前記同期ブロードキャスト伝送に基づいて、同期ブロードキャストブロック内のＰＢＣＨチャネルのＤＭＲＳシーケンスとＰＢＣＨ内のデータビットを解析することと、
前記同期ブロードキャストブロック内のＰＢＣＨチャネルのＤＭＲＳシーケンスとＰＢＣＨ内のデータビットによって同期ブローキャストブロック識別子を取得することとを含む。
【０１５７】
コンピュータ可読記憶媒体であって、前記記憶媒体での命令が装置のプロセッサによって実行される場合、装置は上記同期ブロードキャスト伝送の伝送方法を実行することができ、前記方法は、
基地局から送信された同期ブロードキャスト伝送を受信することと、
前記同期ブロードキャスト伝送に基づいて同期ブロードキャストブロックを解析し、同期ブロードキャストブロック識別子を取得することと、
予め設定された同期ブロードキャストブロック識別子とサブフレーム番号との対応関係に基づいて、取得された前記同期ブロードキャストブロック識別子に対応するサブフレーム番号を確定することとを含む。
【０１５８】
前記記憶媒体での命令は、さらに、
前記少なくとも一つの同期ブロードキャストブロック識別子の最大値が前記少なくとも一つの候補伝送位置の数に対応することを含むことができ、
前記方法はさらに、
前記少なくとも一つの候補伝送位置の数と一つの時間間隔内の同期ブロードキャストブロックの数との対応関係に基づいて、取得された前記同期ブロードキャストブロック識別子に対して換算を行うことを含み、
取得された前記同期ブロードキャストブロック識別子に対応するサブフレーム番号を確定することは、
換算後の同期ブロードキャストブロック識別子に対応するサブフレーム番号を確定することを含む。
【０１５９】
前記記憶媒体での命令は、さらに、
前記同期ブロードキャスト伝送に基づいて同期ブロードキャストブロックを解析し、同期ブロードキャストブロック識別子を取得することを含むことができ、
前記同期ブロードキャスト伝送に基づいて同期ブロードキャストブロックを解析し、同期ブロードキャストブロック識別子を取得することは、
前記同期ブロードキャスト伝送に基づいて、同期ブロードキャストブロック内のＰＢＣＨチャネルのＤＭＲＳシーケンスとＰＢＣＨ内のデータビットを解析することと、
前記同期ブロードキャストブロック内のＰＢＣＨチャネルのＤＭＲＳシーケンスとＰＢＣＨ内のデータビットによって同期ブロードキャストブロック識別子を取得することとを含む。
【０１６０】
図１５は一つの例示的な実施例による同期データに用いられる装置１５００のブロック図である。例えば、装置１５００はコンピュータとして提供されてもよい。図１５を参照すると、装置１５００は、１つ又は複数のプロセッサをさらに含む処理コンポーネント、及び処理コンポーネント１５２２で実行可能な命令、例えばアプリケーションプログラムを記憶するための、メモリ１５３２によって表されるメモリリソースを備える。メモリ１５３２に記憶されたアプリケーションプログラムは、それぞれが命令のセットに対応する１つ又は複数のモジュールを含むことができる。また、処理コンポーネント１５２２は上記方法を実行してデータを同期させるための命令を実行するように構成される。
【０１６１】
装置１５００はさらに装置１５００の電源管理を実行するように構成された電源コンポーネント１５２６、装置１５００をネットワークに接続するように構成された有線又は無線ネットワークインタフェース１５５０、及び入出力（Ｉ／Ｏ）インタフェース１５５８を備えることができる。装置１５００は、Ｗｉｎｄｏｗｓ（登録商標）  ＳｅｒｖｅｒＴＭ、Ｍａｃ  ＯＳ  ＸＴＭ、Ｕｎｉｘ（登録商標）、Ｌｉｎｕｘ（登録商標）、ＦｒｅｅＢＳＤＴＭなどのメモリ１５３２に記憶されているオペレーティングシステムに基づいて動作することができる。
【０１６２】
例示的な実施例では、同期ブロードキャスト伝送の伝送装置が提供され、前記装置は、
プロセッサと、
プロセッサで実行可能な命令を記憶するように構成されるメモリとを備え、
ここで、プロセッサは、
送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きく、
前記少なくとも一つの同期ブロードキャストブロックを含む同期ブロードキャスト伝送を生成し、
前記少なくとも一つの候補伝送位置で、ビーム走査して生成された前記同期ブロードキャスト伝送を送信するように構成される。
【０１６３】
上記プロセッサはさらに、
前記少なくとも一つの候補伝送位置の数が一つの時間間隔内の同期ブロードキャストブロックの数のｎ倍であり、ここで、ｎ＝２であり、又はｎが、一つの時間間隔の時間長の半フレーム分の時間長に対する倍数であるように構成されてもよい。
【０１６４】
上記プロセッサはさらに、
前記同期ブロードキャスト伝送がさらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれるように構成されてもよく、
ここで、前記少なくとも一つの同期ブロードキャストブロック識別子の最大値が一つの時間間隔内の同期ブロードキャストブロックの数に対応し、
又は、前記少なくとも一つの同期ブロードキャストブロック識別子の最大値が前記少なくとも一つの候補伝送位置の数に対応する。
【０１６５】
上記プロセッサはさらに、
前記同期ブロードキャストブロック識別子が前記同期ブロードキャストブロック内のＰＢＣＨチャネルのＤＭＲＳシーケンスとＰＢＣＨ内のデータビットを介して送信されるように構成されてもよい。
【０１６６】
上記プロセッサはさらに、
前記少なくとも一つの候補伝送位置で、ビーム走査して生成された前記同期ブロードキャスト伝送を送信するように構成されてもよく、
前記少なくとも一つの候補伝送位置で、ビーム走査して生成された前記同期ブロードキャスト伝送を送信することは、
選定された候補送信タイムスロットにおける前記少なくとも一つの候補伝送位置で、ビーム走査して生成された前記同期ブロードキャスト伝送を送信することを含み、
ここで、前記候補送信タイムスロットの候補セットが｛１０、２０、４０、８０、１６０｝ｍｓであり、
又は、一つの時間間隔内の同期ブロードキャストブロックの数が４である場合、前記候補送信タイムスロットの候補セットが｛５、１０、２０、４０、８０、１６０｝ｍｓであり、一つの時間間隔内の同期ブロードキャストブロックの数が４より大きい場合、前記候補送信タイムスロットの候補セットは、｛１０、２０、４０、８０、１６０｝ｍｓである。
【０１６７】
上記プロセッサはさらに、
少なくとも２つの送信待ちの同期ブロードキャストブロックが１グループに属するように構成されてもよく、
前記方法はさらに、
前記少なくとも一つの候補伝送位置が空いているか否かを検出することと、
前記少なくとも一つの候補伝送位置が空いていない場合、前記送信待ちの同期ブロードキャストブロックの所在するグループ内の全ての同期ブロードキャストブロックを確定することと、
前記所在するグループ内の全ての同期ブロードキャストブロックに対応する少なくとも一つの候補伝送位置でビーム走査して生成された前記同期ブロードキャスト伝送を送信することを放棄することとを含む。
【０１６８】
コンピュータ可読記憶媒体であって、前記記憶媒体での命令が装置のプロセッサによって実行される場合、装置は上記同期ブロードキャスト伝送の伝送方法を実行することができ、前記方法は、
送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きいことと、
前記少なくとも一つの同期ブロードキャストブロックを含む同期ブロードキャスト伝送を生成することと、
前記少なくとも一つの候補伝送位置で、ビーム走査して生成された前記同期ブロードキャスト伝送を送信することとを含む。
【０１６９】
前記記憶媒体での命令は、さらに、
前記少なくとも一つの候補伝送位置の数が一つの時間間隔内の同期ブロードキャストブロックの数のｎ倍であることを含むことができ、ここで、ｎ＝２であり、又はｎが、一つの時間間隔の時間長の半フレーム分の時間長に対する倍数である。
【０１７０】
前記記憶媒体での命令は、さらに、
前記同期ブロードキャスト伝送がさらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれることを含むことができ、
ここで、前記少なくとも一つの同期ブロードキャストブロック識別子の最大値が一つの時間間隔内の同期ブロードキャストブロックの数に対応し、
又は、前記少なくとも一つの同期ブロードキャストブロック識別子の最大値が前記少なくとも一つの候補伝送位置の数に対応する。
【０１７１】
前記記憶媒体での命令は、さらに、
前記同期ブロードキャストブロック識別子が前記同期ブロードキャストブロック内のＰＢＣＨチャネルのＤＭＲＳシーケンスとＰＢＣＨ内のデータビットを介して送信されることを含むことができる。
【０１７２】
前記記憶媒体での命令は、さらに、
前記少なくとも一つの候補伝送位置で、ビーム走査して生成された前記同期ブロードキャスト伝送を送信することを含むことができ、
前記少なくとも一つの候補伝送位置で、ビーム走査して生成された前記同期ブロードキャスト伝送を送信することは、
選定された候補送信タイムスロットにおける前記少なくとも一つの候補伝送位置で、ビーム走査して生成された前記同期ブロードキャスト伝送を送信することを含み、
ここで、前記候補送信タイムスロットの候補セットが｛１０、２０、４０、８０、１６０｝ｍｓであり、
又は、一つの時間間隔内の同期ブロードキャストブロックの数が４である場合、前記候補送信タイムスロットの候補セットが｛５、１０、２０、４０、８０、１６０｝ｍｓであり、一つの時間間隔内の同期ブロードキャストブロックの数が４より大きい場合、前記候補送信タイムスロットの候補セットが｛１０、２０、４０、８０、１６０｝ｍｓである。
【０１７３】
前記記憶媒体での命令は、さらに、
少なくとも２つの送信待ちの同期ブロードキャストブロックが１グループに属することを含むことができ、
前記方法はさらに、
前記少なくとも一つの候補伝送位置が空いているか否かを検出することと、
前記少なくとも一つの候補伝送位置が空いていない場合、前記送信待ちの同期ブロードキャストブロックの所在するグループ内の全ての同期ブロードキャストブロックを確定することと、
前記所在するグループ内の全ての同期ブロードキャストブロックに対応する少なくとも一つの候補伝送位置でビーム走査して生成された前記同期ブロードキャスト伝送を送信することを放棄することとを含む。
【０１７４】
当業者は明細書を考慮してここで開示された開示を実践した後、本開示の他の実施手段を容易に想到する。本出願は本開示のいずれかの変形、用途又は適応的変化を含むことを意図し、これらの変形、用途又は適応的変化が本開示の一般的な原理に従い且つ本開示に公開されていない本技術分野における公知の知識又は慣用の技術手段を含む。本明細書と実施例は例示的なものとして見なされるが、本発明の真の範囲と精神は以下の特許請求の範囲によって示される。
【０１７５】
理解すべきものとして、本開示は以上に説明され且つ添付図面に示された正確な構造に限定されず、且つその範囲から逸脱することなく様々な修正及び変更が可能であると理解されるべきである。本開示の範囲は添付の特許請求の範囲のみによって制限される。
【図１】
2021517429.tif 000004
【図２】
2021517429.tif 000005
【図３】
2021517429.tif 000006
【図４】
2021517429.tif 000007
【図５】
2021517429.tif 000008
【図６】
2021517429.tif 000009
【図７】
2021517429.tif 000010
【図８】
2021517429.tif 000011
【図９Ａ】
2021517429.tif 000012
【図９Ｂ】
2021517429.tif 000013
【図１０】
2021517429.tif 000014
【図１１】
2021517429.tif 000015
【図１２】
2021517429.tif 000016
【図１３】
2021517429.tif 000017
【図１４】
2021517429.tif 000018
【図１５】
2021517429.tif 000019
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
同期ブロードキャスト伝送の伝送方法であって、
送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きいことと、
前記少なくとも一つの同期ブロードキャストブロックを含む同期ブロードキャスト伝送を生成することと、
前記少なくとも一つの候補伝送位置で、ビーム走査して生成された前記同期ブロードキャスト伝送を送信することと、を含む、同期ブロードキャスト伝送の伝送方法。
【請求項２】
前記少なくとも一つの候補伝送位置の数は、前記一つの時間間隔内の同期ブロードキャストブロックの数のｎ倍であり、ここで、ｎ＝２であり、又はｎが、前記一つの時間間隔の時間長の半フレーム分の時間長に対する倍数であることを特徴とする
請求項１に記載の方法。
【請求項３】
前記同期ブロードキャスト伝送は、さらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれ、
ここで、前記少なくとも一つの同期ブロードキャストブロック識別子の最大値が前記一つの時間間隔内の同期ブロードキャストブロックの数に対応し、
又は、前記少なくとも一つの同期ブロードキャストブロック識別子の最大値が前記少なくとも一つの候補伝送位置の数に対応することを特徴とする
請求項１に記載の方法。
【請求項４】
前記少なくとも一つの同期ブロードキャストブロック識別子は、前記同期ブロードキャストブロック内のＰＢＣＨチャネルのＤＭＲＳシーケンスとＰＢＣＨ内のデータビットを介して送信されることを特徴とする
請求項３に記載の方法。
【請求項５】
前記少なくとも一つの候補伝送位置で、ビーム走査して生成された前記同期ブロードキャスト伝送を送信することは、
選定された候補送信タイムスロットにおける前記少なくとも一つの候補伝送位置で、ビーム走査して生成された前記同期ブロードキャスト伝送を送信することを含み、
ここで、前記候補送信タイムスロットの候補セットが｛１０、２０、４０、８０、１６０｝ｍｓであり、
又は、前記一つの時間間隔内の同期ブロードキャストブロックの数が４である場合、前記候補送信タイムスロットの候補セットが｛５、１０、２０、４０、８０、１６０｝ｍｓであり、前記一つの時間間隔内の同期ブロードキャストブロックの数が４より大きい場合、前記候補送信タイムスロットの候補セットが｛１０、２０、４０、８０、１６０｝ｍｓであることを特徴とする
請求項１に記載の方法。
【請求項６】
少なくとも２つの送信待ちの同期ブロードキャストブロックが１グループに属し、
前記方法はさらに、
前記少なくとも一つの候補伝送位置が空いているか否かを検出することと、
前記少なくとも一つの候補伝送位置が空いていない場合、前記送信待ちの同期ブロードキャストブロックの所在するグループ内の全ての同期ブロードキャストブロックを確定することと、
前記所在するグループ内の全ての同期ブロードキャストブロックに対応する少なくとも一つの候補伝送位置でビーム走査して生成された前記同期ブロードキャスト伝送を送信することを放棄することと、を含むことを特徴とする
請求項１に記載の方法。
【請求項７】
同期ブロードキャスト伝送の伝送方法であって、
基地局から送信された同期ブロードキャスト伝送を受信することと、
前記同期ブロードキャスト伝送に基づいて同期ブロードキャストブロックを解析し、同期ブロードキャストブロック識別子を取得することと、を含み、
前記同期ブロードキャストブロックを解析し、同期ブロードキャストブロック識別子を得ることは、
前記少なくとも一つの候補伝送位置の数と一つの時間間隔内の同期ブロードキャストブロックの数との対応関係に基づいて、前記同期ブロードキャストブロック識別子を得、前記少なくとも一つの候補伝送位置の数が、一つの時間間隔内の同期ブロードキャストブロックの数よりも大きいことを含む、
同期ブロードキャスト伝送の伝送方法。
【請求項８】
前記少なくとも一つの候補伝送位置の数は、前記一つの時間間隔内の同期ブロードキャストブロックの数のｎ倍であり、ここで、ｎ＝２であり、又はｎが、前記一つの時間間隔の時間長の半フレーム分の時間長に対する倍数であることを特徴とする
請求項７に記載の方法。
【請求項９】
同期ブロードキャストブロック識別子を得ることは、
同期ブロードキャスト伝送に基づいて、同期ブロードキャストブロック内のＰＢＣＨチャネルのＤＭＲＳシーケンスとＰＢＣＨ内のデータビットを解析することと、
前記同期ブロードキャストブロック内のＰＢＣＨチャネルのＤＭＲＳシーケンスとＰＢＣＨ内のデータビットを介して、同期ブロードキャストブロック識別子を取得することとを含むことを特徴とする
請求項７に記載の方法。
【請求項１０】
同期ブロードキャスト伝送の伝送装置であって、
プロセッサと、
プロセッサで実行可能な命令を記憶するように構成されるメモリと、を備え、
ここで、前記プロセッサは、前記命令を実行する時に、請求項１−６のいずれか１項に記載の同期ブロードキャスト伝送の伝送方法を実行するように構成される、
同期ブロードキャスト伝送の伝送装置。
【請求項１１】
同期ブロードキャスト伝送の伝送装置であって、
プロセッサと、
プロセッサで実行可能な命令を記憶するように構成されるメモリと、を備え、
ここで、前記プロセッサは、前記命令を実行する時に、請求項７−９のいずれか１項に記載の同期ブロードキャスト伝送の伝送方法を実行するように構成される、
同期ブロードキャスト伝送の伝送装置。
【請求項１２】
コンピュータ命令を記憶しているコンピュータ可読記憶媒体であって、該命令がプロセッサによって実行される時に上記の請求項１−６に記載の方法を実現する、コンピュータ可読記憶媒体。
【請求項１３】
コンピュータ命令を記憶しているコンピュータ可読記憶媒体であって、該命令がプロセッサによって実行される時に上記の請求項７−９に記載の方法を実現する、コンピュータ可読記憶媒体。
【手続補正２】
【補正対象書類名】明細書
【補正対象項目名】００３６
【補正方法】変更
【補正の内容】
【００３６】
以上の一般的な説明及び以下の詳細な説明は例示的及び解釈的なものだけであり、本開示を制限できないと理解すべきである。
例えば、本願は以下の項目を提供する。
（項目１）
同期ブロードキャスト伝送の伝送方法であって、
送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きいことと、
前記少なくとも一つの同期ブロードキャストブロックを含む同期ブロードキャスト伝送を生成することと、
前記少なくとも一つの候補伝送位置で、ビーム走査して生成された前記同期ブロードキャスト伝送を送信することと、を含む、同期ブロードキャスト伝送の伝送方法。
（項目２）
前記少なくとも一つの候補伝送位置の数は、前記一つの時間間隔内の同期ブロードキャストブロックの数のｎ倍であり、ここで、ｎ＝２であり、又はｎが、前記一つの時間間隔の時間長の半フレーム分の時間長に対する倍数であることを特徴とする
項目１に記載の方法。
（項目３）
前記同期ブロードキャスト伝送は、さらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれ、
ここで、前記少なくとも一つの同期ブロードキャストブロック識別子の最大値が前記一つの時間間隔内の同期ブロードキャストブロックの数に対応し、
又は、前記少なくとも一つの同期ブロードキャストブロック識別子の最大値が前記少なくとも一つの候補伝送位置の数に対応することを特徴とする
項目１に記載の方法。
（項目４）
前記少なくとも一つの同期ブロードキャストブロック識別子は、前記同期ブロードキャストブロック内のＰＢＣＨチャネルのＤＭＲＳシーケンスとＰＢＣＨ内のデータビットを介して送信されることを特徴とする
項目３に記載の方法。
（項目５）
前記少なくとも一つの候補伝送位置で、ビーム走査して生成された前記同期ブロードキャスト伝送を送信することは、
選定された候補送信タイムスロットにおける前記少なくとも一つの候補伝送位置で、ビーム走査して生成された前記同期ブロードキャスト伝送を送信することを含み、
ここで、前記候補送信タイムスロットの候補セットが｛１０、２０、４０、８０、１６０｝ｍｓであり、
又は、前記一つの時間間隔内の同期ブロードキャストブロックの数が４である場合、前記候補送信タイムスロットの候補セットが｛５、１０、２０、４０、８０、１６０｝ｍｓであり、前記一つの時間間隔内の同期ブロードキャストブロックの数が４より大きい場合、前記候補送信タイムスロットの候補セットが｛１０、２０、４０、８０、１６０｝ｍｓであることを特徴とする
項目１に記載の方法。
（項目６）
少なくとも２つの送信待ちの同期ブロードキャストブロックが１グループに属し、
前記方法はさらに、
前記少なくとも一つの候補伝送位置が空いているか否かを検出することと、
前記少なくとも一つの候補伝送位置が空いていない場合、前記送信待ちの同期ブロードキャストブロックの所在するグループ内の全ての同期ブロードキャストブロックを確定することと、
前記所在するグループ内の全ての同期ブロードキャストブロックに対応する少なくとも一つの候補伝送位置でビーム走査して生成された前記同期ブロードキャスト伝送を送信することを放棄することと、を含むことを特徴とする
項目１に記載の方法。
（項目７）
同期ブロードキャスト伝送の伝送方法であって、
基地局から送信された同期ブロードキャスト伝送を受信することと、
前記同期ブロードキャスト伝送に基づいて同期ブロードキャストブロックを解析し、同期ブロードキャストブロック識別子を取得することと、
予め設定された同期ブロードキャストブロック識別子とサブフレーム番号との対応関係に基づいて、取得された前記同期ブロードキャストブロック識別子に対応するサブフレーム番号を確定することと、を含む、同期ブロードキャスト伝送の伝送方法。
（項目８）
前記少なくとも一つの同期ブロードキャストブロック識別子の最大値が少なくとも一つの候補伝送位置の数に対応し、
前記方法はさらに、
前記少なくとも一つの候補伝送位置の数と一つの時間間隔内の同期ブロードキャストブロックの数との対応関係に基づいて、取得された前記同期ブロードキャストブロック識別子に対して換算を行うことを含み、
取得された前記同期ブロードキャストブロック識別子に対応するサブフレーム番号を確定することは、
換算後の同期ブロードキャストブロック識別子に対応するサブフレーム番号を確定することを含むことを特徴とする
項目７に記載の方法。
（項目９）
前記同期ブロードキャスト伝送に基づいて同期ブロードキャストブロックを解析し、同期ブロードキャストブロック識別子を取得することは、
同期ブロードキャスト伝送に基づいて、同期ブロードキャストブロック内のＰＢＣＨチャネルのＤＭＲＳシーケンスとＰＢＣＨ内のデータビットを解析することと、
前記同期ブロードキャストブロック内のＰＢＣＨチャネルのＤＭＲＳシーケンスとＰＢＣＨ内のデータビットを介して、同期ブロードキャストブロック識別子を取得することとを含むことを特徴とする
項目７に記載の方法。
（項目１０）
同期ブロードキャスト伝送の伝送装置であって、
送信待ちの少なくとも一つの同期ブロードキャストブロックに対応する少なくとも一つの候補伝送位置を確定するように構成され、前記少なくとも一つの候補伝送位置の数が、一つの時間間隔内の同期ブロードキャストブロックの数よりも大きい位置モジュールと、
前記少なくとも一つの同期ブロードキャストブロックを含む同期ブロードキャスト伝送を生成するように構成される生成モジュールと、
前記少なくとも一つの候補伝送位置で、ビーム走査して生成された前記同期ブロードキャスト伝送を送信するように構成されるブロードキャストモジュールと、を備える、同期ブロードキャスト伝送の伝送装置。
（項目１１）
前記少なくとも一つの候補伝送位置の数は、前記一つの時間間隔内の同期ブロードキャストブロックの数のｎ倍であり、ここで、ｎ＝２であり、又はｎが、前記一つの時間間隔の時間長の半フレーム分の時間長に対する倍数であることを特徴とする
項目１０に記載の装置。
（項目１２）
前記同期ブロードキャスト伝送は、さらに前記少なくとも一つの同期ブロードキャストブロックの少なくとも一つの同期ブロードキャストブロック識別子を含み、前記少なくとも一つの同期ブロードキャストブロック識別子が前記少なくとも一つの同期ブロードキャストブロックに含まれ、
ここで、前記少なくとも一つの同期ブロードキャストブロック識別子の最大値が前記一つの時間間隔内の同期ブロードキャストブロックの数に対応し、
又は、前記少なくとも一つの同期ブロードキャストブロック識別子の最大値が前記少なくとも一つの候補伝送位置の数に対応することを特徴とする
項目１０に記載の装置。
（項目１３）
前記少なくとも一つの同期ブロードキャストブロック識別子は、前記同期ブロードキャストブロック内のＰＢＣＨチャネルのＤＭＲＳシーケンスとＰＢＣＨ内のデータビットを介して送信されることを特徴とする
項目１２に記載の装置。
（項目１４）
前記ブロードキャストモジュールは、
選定された候補送信タイムスロットにおける前記少なくとも一つの候補伝送位置で、ビーム走査して生成された前記同期ブロードキャスト伝送を送信するように構成されるブロードキャストサブモジュールと、を含み、
ここで、前記候補送信タイムスロットの候補セットが｛１０、２０、４０、８０、１６０｝ｍｓであり、
又は、前記一つの時間間隔内の同期ブロードキャストブロックの数が４である場合、前記候補送信タイムスロットの候補セットが｛５、１０、２０、４０、８０、１６０｝ｍｓであり、前記一つの時間間隔内の同期ブロードキャストブロックの数が４より大きい場合、前記候補送信タイムスロットの候補セットが｛１０、２０、４０、８０、１６０｝ｍｓであることを特徴とする
項目１０に記載の装置。
（項目１５）
少なくとも２つの送信待ちの同期ブロードキャストブロックが１グループに属し、
前記装置はさらに、
前記少なくとも一つの候補伝送位置が空いているか否かを検出するように構成される検出モジュールと、
前記少なくとも一つの候補伝送位置が空いていない場合、前記送信待ちの同期ブロードキャストブロックの所在するグループ内の全ての同期ブロードキャストブロックを確定するように構成されるグループモジュールと、
前記所在するグループ内の全ての同期ブロードキャストブロックに対応する少なくとも一つの候補伝送位置でビーム走査して生成された前記同期ブロードキャスト伝送を送信することを放棄するように構成される放棄モジュールと、を備えることを特徴とする
項目１０に記載の装置。
（項目１６）
同期ブロードキャスト伝送の伝送装置であって、
基地局から送信された同期ブロードキャスト伝送を受信するように構成される受信モジュールと、
前記同期ブロードキャスト伝送に基づいて同期ブロードキャストブロックを解析し、同期ブロードキャストブロック識別子を取得するように構成される解析モジュールと、
予め設定された同期ブロードキャストブロック識別子とサブフレーム番号との対応関係に基づいて、取得された前記同期ブロードキャストブロック識別子に対応するサブフレーム番号を確定するように構成される確定モジュールとを備える、前記同期ブロードキャスト伝送の伝送装置。
（項目１７）
前記少なくとも一つの同期ブロードキャストブロック識別子の最大値が前記少なくとも一つの候補伝送位置の数に対応し、
前記装置はさらに、
前記少なくとも一つの候補伝送位置の数と一つの時間間隔内の同期ブロードキャストブロックの数との対応関係に基づいて、取得された前記同期ブロードキャストブロック識別子に対して換算を行うように構成される換算モジュールを備え、
前記確定モジュールは、
換算後の同期ブロードキャストブロック識別子に対応するサブフレーム番号を確定するように構成される確定サブモジュールを含むことを特徴とする
項目１６に記載の装置。
（項目１８）
前記解析モジュールは、
前記同期ブロードキャスト伝送に基づいて、同期ブロードキャストブロック内のＰＢＣＨチャネルのＤＭＲＳシーケンスとＰＢＣＨ内のデータビットを解析するように構成される解析サブモジュールと、
前記同期ブロードキャストブロック内のＰＢＣＨチャネルのＤＭＲＳシーケンスとＰＢＣＨ内のデータビットを介して、同期ブロードキャストブロック識別子を取得するように構成される取得サブモジュールとを含むことを特徴とする
項目１６に記載の装置。
（項目１９）
同期ブロードキャスト伝送の伝送装置であって、
プロセッサと、
プロセッサで実行可能な命令を記憶するように構成されるメモリと、を備え、
ここで、前記プロセッサは、
送信待ちの少なくとも一つの同期ブロードキャストブロックに対応する少なくとも一つの候補伝送位置を確定し、前記少なくとも一つの候補伝送位置の数が、一つの時間間隔内の同期ブロードキャストブロックの数よりも大きく、
前記少なくとも一つの同期ブロードキャストブロックを含む同期ブロードキャスト伝送を生成し、
前記少なくとも一つの候補伝送位置で、ビーム走査して生成された前記同期ブロードキャスト伝送を送信するように構成される、同期ブロードキャスト伝送の伝送装置。
（項目２０）
同期ブロードキャスト伝送の伝送装置であって、
プロセッサと、
プロセッサで実行可能な命令を記憶するように構成されるメモリと、を備え、
ここで、前記プロセッサは、
基地局から送信された同期ブロードキャスト伝送を受信し、
前記同期ブロードキャスト伝送に基づいて同期ブロードキャストブロックを解析し、同期ブロードキャストブロック識別子を取得し、
予め設定された同期ブロードキャストブロック識別子とサブフレーム番号との対応関係に基づいて、取得された前記同期ブロードキャストブロック識別子に対応するサブフレーム番号を確定するように構成される、同期ブロードキャスト伝送の伝送装置。
（項目２１）
コンピュータ命令を記憶しているコンピュータ可読記憶媒体であって、該命令がプロセッサによって実行される時に上記の項目１−６に記載の方法を実現する、コンピュータ可読記憶媒体。
（項目２２）
コンピュータ命令を記憶しているコンピュータ可読記憶媒体であって、該命令がプロセッサによって実行される時に上記の項目７−９に記載の方法を実現する、コンピュータ可読記憶媒体。
【国際調査報告】
2021517429.tif 000020
2021517429.tif 000021
2021517429.tif 000022
2021517429.tif 000023